(57)【特許請求の範囲】
【請求項１】
果実を外装箱に収納し包装するのに使用する果実用包装材であって、合成樹脂発泡シートから一体に成形され、果実を保持する保持用凹部を有する２つの半部体がヒンジ部を介して互いの対向方向に折曲起立可能に連設されてなり、
前記両半部体は、それぞれ、起立時に互いの対向面となる内側板部と上面になる外側板部とが折曲部を中間にして連設されるとともに、前記内側板部が垂直をなして対向する両半部体の起立時に、果実の少なくとも下部の前後又は左右の両側半部を対向してそれぞれ保持できる１つもしくは複数の保持用凹部が前記内側板部及び外側板部の周縁部を残余させて裏面側へ膨出して形成され、該保持用凹部の一部に起立時に支持用脚部となる外方への突出部が形成されるとともに、該突出部が、前記両半部体の起立時に前記ヒンジ部より下方への突出形状をなすように形成されてなることを特徴とする果実用包装材。
【請求項２】
前記支持用脚部となる突出部は、前記保持用凹部の中央部において両半部体の起立時に脚部下面になる突出面と、該突出面から外側板部まで連続する脚部の外側面になる上下方向の突出面とを有する突出形状をなしている請求項１に記載の果実用包装材。
【請求項３】
前記支持用脚部となる突出部は、前記保持用凹部の裏面側に断面角形状をなすように突出形成され、該突出部の両側面間の間隔が前記脚部下面になる突出面側から前記外側板部の側に向かって漸次広幅をなすように形成されて上方への開放形をなしている請求項２に記載の果実用包装材。
【請求項４】
前記ヒンジ部が、押し込み形成された２条のＶ字状溝よりなる請求項１〜３のいずれか１項に記載の果実用包装材。
【発明の詳細な説明】
【技術分野】
【０００１】
本発明は、主としてメロン等の果実を外装箱に収納して包装するのに使用する果実用包装材に関するものである。
【背景技術】
【０００２】
従来より、メロン等の比較的大きく重い果実を１個又は数個ずつ段ボール箱等の外装箱に収納して包装する場合、収納された果実が外装箱の内部で動くと傷みが生じる虞があるので、各種の緩衝材や支持材を使用して、果実が動かないよように保持することが行われている。
【０００３】
例えば、桃、梨、リンゴ等の果実の場合は、合成樹脂発泡シート等から複数の収納凹部を形成したトレーが使用されているが、メロン等の比較的大きく重い果実の場合は、形状的に底付きの虞がある上、動き規制の効果が低く、詰め物となる緩衝材を用いて動かないように保持する必要もあった。
【０００４】
そのため、前記のトレー形の包装材に変えて、特許文献１のように、厚紙等の紙材を折り曲げて形成した仕切り材と、別に折り曲げ形成される小箱とを用いて、メロン等の果実を小箱に収納して保持する方法、あるいは、特許文献２のように、１枚の紙材を折り曲げて、切込みによる収納凹部を有する受け面と仕切り壁とを形成した仕切り材を用いて、メロン等の果実を仕切り状態に収納して保持する方法が提案されている。
【０００５】
しかしながら、前記のいずれの場合も、１枚の紙材を折り曲げて所定の形状に組み立てて使用するものであり、取り扱い難くてかつ組立て作業が煩わしく、外装箱へのセット作業も行い難く、しかも緩衝性に乏しい上に、果実の動きを規制する効果も充分ではなかった。
【先行技術文献】
【特許文献】
【０００６】
【特許文献１】特開平７−９６９３２号公報
【特許文献２】特開平９−１２０７２号公報
【発明の開示】
【発明が解決しようとする課題】
【０００７】
本発明は、上記に鑑みてなしたものであり、メロン等の比較的大きく重い果実を段ボール箱等の外装箱に収納して包装するのに使用する果実用包装材として、取り扱いが容易で、外装箱内にセットし易く、果実の包装作業を容易に行え、しかも収納した果実を個装状態に安定性よく保持でき、緩衝性にも優れ、果実の保護を良好になし得る果実用包装材を提供するものである。
【課題を解決するための手段】
【０００８】
上記の課題を解決する本発明は、果実を外装箱に収納し包装するのに使用する包装材であって、合成樹脂発泡シートから一体に成形され、果実を保持する保持用凹部を有する２つの半部体がヒンジ部を介して互いの対向方向に折曲起立可能に連設されてなり、前記両半部体は、それぞれ、起立時に互いの対向面となる内側板部と上面になる外側板部とが折曲部を中間にして連設されるとともに、前記内側板部が垂直をなして対向する両半部体の起立時に、果実の少なくとも下部の前後又は左右の両側半部を対向してそれぞれ保持できる１つもしくは複数の保持用凹部が前記内側板部及び外側板部の周縁部を残余させて裏面側へ膨出して形成され、該保持用凹部の一部に起立時に支持用脚部となる外方への突出部が形成されるとともに、該突出部が、前記両半部体の起立時に前記ヒンジ部より下方への突出形状をなすように形成されてなることを特徴とする。
【０００９】
前記の果実用包装材によれば、使用の際に、両半部体をヒンジ部から折曲して内側板部が垂直をなすように起立させて内側板部同士を対向させることにより、両半部体に有する保持用凹部が対向して上方に開口する１つの収納部を形成でき、この状態で外装箱内に収容しセットするだけでよいため、組立て操作及び外装箱内へのセット作業が容易であり、果実の包装作業を容易に行える。しかも、前記両半部体の保持用凹部が支持用脚部としての突出部により外装箱との間に間隔を保有して支持されることになるため、該保持用凹部による収納部に収納された果実を緩衝性よく保持できる。
【００１０】
さらに、前記両半部体の内側板部が垂直をなして対向していることで果実収納による垂直方向の荷重を充分に支えることができる上、前記支持用脚部となる突出部が、前記両半部体の起立時に前記ヒンジ部より下方への突出形状をなすように形成されているため、収納された果実の底面が接する前記ヒンジ部が外装箱の底面に当接することなく浮いた状態になるため、果実の底面における緩衝性も良好に保持される。
【００１１】
前記の果実用包装材において、前記支持用脚部となる突出部は、前記保持用凹部の中央部において両半部体の起立時に脚部下面になる突出面と、該突出面から外側板部まで連続する脚部の外側面になる上下方向の突出面とを有する突出形状をなしているものとすることができる。この突出部が各保持用凹部の変形を抑制する補強リブとしての役目を果たし、かなり重い果実を安定性よく保持できる。
【００１２】
前記の果実用包装材において、前記支持用脚部となる突出部は、前記保持用凹部の裏面側に断面角形状をなすように突出形成され、該突出部の両側面間の間隔が前記脚部下面になる突出面側から前記外側板部の側に向かって漸次広幅をなすように形成されて上方への開放形をなしているものとすることができる。これにより、前記突出部が保持用凹部の変形抑制のための補強の役目を果たすとともに、該上面で上方に開放していることで、果実の底面側まで連通する通気路としての役目を果たすことにもなる。
【００１３】
前記の果実用包装材において、前記ヒンジ部が、押し込み形成された２条のＶ字状溝よりなるものとするのが好ましい。
【発明の効果】
【００１４】
上記のように本発明の果実用包装材によれば、合成樹脂発泡シートからの成形体よりなるものであって取り扱い易く、使用の際に両半部体をヒンジ部から折曲して内側板部同士を対向させるように起立させるだけでよいため、組立て操作及び外装箱内へのセット作業が行い易く、また両半部体の保持用凹部による収納部が上方に開口した形状をなすため、果実の収納操作も容易であり、これにより各果実を所定位置に安定性よく保持できる。
【００１５】
しかも、果実を収納した状態の前記保持用凹部は支持用脚部としての突出部により外装箱との間に間隔を保有して支持され、外装箱の底面や側面に直に接触することがないため、合成樹脂発泡シートの持つ弾性力とも相俟って良好な緩衝効果を発揮でき、果実の保護を良好になすことができる。そのため、メロン等の比較的大きく重い果実を段ボール箱等の外装箱に収納して包装するのに好適に使用できる。
【図面の簡単な説明】
【００１６】
【図１】本発明の果実用包装材の展開状態の斜視図である。
【図２】同上の果実用包装材の平面図である。
【図３】同上のIII−III線の断面図である。
【図４】同上の果実用包装材の両半部体を折曲起立させた状態の斜視図である。
【図５】同上の断面図である。
【図６】同上の側面図である。
【図７】前図のVII−VII線の断面図である。
【発明を実施するための形態】
【００１７】
次に本発明の実施の形態を図面に示す実施例に基づいて説明する。
【００１８】
図に示す実施例の果実用包装材Ａは、適度の弾力性及び保形性を有する熱可塑性の合成樹脂発泡シート、例えばポリスチレン系樹脂の発泡シートから真空成形、圧空成形等の熱成形加工の手段により展開状態で一体に成形されてなる。
【００１９】
この果実用包装材Ａは、包装対象のメロン等の果実Ｆを対向して保持する保持用凹部１１，２１を有する前後又は左右の２つの半部体１，２が中央のヒンジ部３を介して互いの対向方向に折曲起立可能に連設されてなる。図の場合、前後方向に延びる中央のヒンジ部３を介して左右２つの半部体１，２が折曲起立可能に連設されている。前記ヒンジ部３は、押し込み形成された２条のＶ字状溝３１，３１よりなるものとするのが、所定のヒンジ強度を確保でき、かつ両半部体１，２を対向するように折曲起立させ易く好ましい。また、折り曲げた際に隙間を生じさせることができるので、通気性を確保できる。さらに、実施上は、前記のように折曲起立させた状態において適度に外方への弾性復元力を保有するように形成しておくのが好ましい。
【００２０】
前記両半部体１，２は、それぞれ、前記起立時に互いの対向面となる内側板部１２，２２と、上面になる外側板部１３，２３とが折曲部１４，２４を中間にして直角の折曲形状をなすように連設されるとともに、図４のように前記内側板部１２，２２が垂直をなして対向する両半部体１，２の起立状態において、図のように果実Ｆの少なくとも下部の前後又は左右の両側半部を対向してそれぞれ保持する１つもしくは複数（図の場合は２つ）の保持用凹部１１，２１が、前記内側板部１２，２２の各周縁部１２ａ，２２ａ及び外側板部１３，２３の各周縁部１３ａ，２３ａを板状に残余させて、かつ前記ヒンジ部３が底部となるように裏面側へ膨出して形成されている。すなわち、両半部体１，２の対向する保持用凹部１１，２１により１つの収納部を形成するようになっている。通常、前記保持用凹部１１，２１の内周面は、包装対象の果実Ｆの下部が接する側では該果実Ｆの球状に対応する円弧状曲面をなしている。
【００２１】
前記両半部体１，２の折曲起立状態における前記保持用凹部１１，２１による収納部の深さについては、果実Ｆの１／２以上の高さ、例えば果実の略全体を収納保持できる深さになるように形成しておくこともできるが、果実Ｆの収納及び取り出し操作の容易性、店頭での陳列時の体裁、合成樹脂発泡シートからの成形性等の点から、図のように、果実Ｆの略１／２前後の高さまでの下部を収納保持できるように形成しておくのが好ましい。
【００２２】
前記のように保持用凹部１１，２１による収納部の深さを高くする場合、内側板部１２，２２の幅（起立時の高さ）を大きくして、該保持用凹部１１，２１を上面になる外側板部１３，２３の側に最大幅と同幅で開放させて形成すればよい。
【００２３】
前記両半部体１，２の保持用凹部１１，２１には、その一部、例えば中央部には、収納された果実Ｆの荷重を受ける支持用脚部となる外方（裏面側）への突出部１５，２５が、前記両半部体１，２の起立時に前記ヒンジ部３より下方への突出形状をなすように形成されている。前記ヒンジ部３よりも下方への突出形状にするために、前記突出部１５，２５は、前記保持用凹部１１，２１内の前記ヒンジ部３側の端部において、前記内側板部１２、２２に対して直角よりも大きい角度をなして連続するように裏面側に突出形成されている。前記の支持用脚部となる突出部１５，２５は、両半部体１，２の起立時に前記ヒンジ部３より下方への突出形状をなして、保持用凹部１１，２１に収納された果実Ｆの荷重を支える支持用脚部としての役目を果たすものであれば、どのような形態であってもよい。
【００２４】
図示する実施例の場合、前記突出部１５，２５は、前記保持用凹部１１，２１の中央部において前記保持用凹部１１，２１の裏面側に側面がテーパ状に傾斜した断面角形状をなすように突出形成され、両半部体１，２の起立時に、外装箱の底面に当接する脚部下面になる突出面１５ａ，２５ａと、該突出面１５ａ，２５ａから外側板部１３，２３まで連続する脚部外側面、すなわち外装箱の側面に沿う外側面になる上下方向の突出面１５ｂ，２５ｂとを有する突出形状をなしている。前記突出部１５，２５は、前記脚部外側面になる突出面１５ｂ，２５ｂの起立状態における下部が下端側ほどやや内方に傾斜せしめられており、両突出面１５ａ．１５ｂ間及び突出面２５ａ，２５ｂ間の屈曲部が深くなり過ぎないようにして、成形を行い易くしている。
【００２５】
前記突出部１５，２５における両側面間の間隔は、収納された果実Ｆの荷重を安定性よく受支できるように適宜設定できるが、図の場合、前記脚部下面になる突出面１５ａの側から前記外側板部１３，２３の側に向かって漸次広幅をなすように形成されて上方への開放形をなしており、下部側では保持用凹部１１，２１に収納保持される果実Ｆの荷重を支え、上部では前記果実Ｆを弾力的に支持できるようになっている。
【００２６】
本発明の果実用トレーＡの構成素材として用いる合成樹脂発泡シートとしては、ポリスチレン系樹脂、ポリプロピレンやポリエチレン及び架橋ポリプロピレン樹脂等のポリオレフィン系樹脂、高密度ポリエチレン系樹脂、ポリエステル系樹脂、ポリ塩化ビニル樹脂その他の適度の弾力性があって、かつ使用上において必要な保形強度を有する各種の熱可塑性の合成樹脂発泡シートを用いることができる。保形性やコスト面から、ポリスチレン系樹脂発泡シートが好適に用いられる。
【００２７】
前記の発泡シートの厚みは、使用素材によっても異なるが、通常、厚み１ｍｍ以上のもので、好ましくは１０ｍｍ以下、さらに好ましくは１〜７ｍｍの範囲のもので、成形可能であって、かつ、果実収納状態で変形しない程度の保形強度を有する厚みのものが用いられる。例えば、ポリスチレン系樹脂発泡シートの場合、２〜５ｍｍ程度が好ましく、発泡倍率または密度は、５〜１５倍程度の発泡シートが好適に使用される。包装材は、前記合成樹脂発泡シートを素材として金型を用いる真空成形等の手段により上記した形態の展開状態に、特には両半部体１，２の内側板部１２，２２が中央のヒンジ部３を挟んで直角をなす展開状態に成形され、所定の寸法にトリミングされる。
【００２８】
前記のように成形された果実用包装材Ａは、メロン等の比較的大きくて重い果実Ｆを段ボール箱等の外装箱Ｂに収納して包装する場合の内装材や仕切り材等として使用するものであり、この使用においては、図４のように、両半部体１，２を中央のヒンジ部３で折曲して、それぞれの内側板部１２，２２同士を垂直にして対向させ、両者の保持用凹部１１，２１を合致させて１つの収納部を形成した状態にして、図５のように外装箱Ｂ内に収容し、外側板部１３，２３を外装箱Ｂの側面に直角に当接させるようにしてセットする。
【００２９】
この際、中央のヒンジ部３で折曲し起立させた両半部体１，２が具有弾性力により元の展開状態に戻ろうとしても、上面になる外側板部１３，２３の周縁部１３ａ，２３ａが外装箱Ｂの側面に当接することで、それ以上の戻りが阻止され、これにより両半部体１，２は折曲起立状態に保持される。また、前記両半部体１，２の内側板部１２，２２が垂直をなして対向していることで果実収納による垂直方向の荷重を支えることができる。
【００３０】
しかも、両半部体１，２の各保持用凹部１１，２１に設けられた支持用脚部としての突出部１５，２５が外装箱Ｂの底面に当接し、該保持用凹部１１，２１が対向して１つの収納部を形成して外装箱Ｂの底面との間に間隔を保有して保持されている。
【００３１】
そのため、起立した両半部体１，２の保持用凹部１１，２１が合致して形成された収納部に包装対象のメロン等の果実Ｆを下部から収納すればよく、収納操作が容易で所定位置に保持でき、複数の果実を収納する場合にも果実相互の接触の虞なく収納し包装できる。しかも、前記の収納された果実Ｆは、その下部が保持用凹部１１，２１の円弧状曲面により安定性よく保持されるとともに、前記支持用脚部としての突出部１５，２５により外装箱Ｂの内面との間に間隔を保有して保持されることになる。そのため、合成樹脂発泡シートの素材の持つ緩衝性とも相俟って収納した果実Ｆを緩衝性よく保持でき、その保護を良好になすことができる。
【００３２】
特に、保持用凹部１１，２１に突出形成された支持用脚部としての突出部が、保持用凹部の内周部で上面になる外側板部１３に連続して開放されていることで、果実の底面側に連続した通気性を確保でき、果実の保護をさらに良好になし得る。  
【産業上の利用可能性】
【００３３】
本発明の果実用包装材は、メロン等の比較的重くて大きい果実の包装に好適に利用できるほか、他の果実の包装にも好適に使用することができる。
【符号の説明】
【００３４】
Ａ…果実用包装材、Ｂ…外装箱、Ｆ…果実、１，２…半部体、３…ヒンジ部、１１、２１…保持用凹部、１２，２２…内側板部、１３，２３…外側板部、１２ａ，２２ａ；１３ａ，２３ａ…周縁部、１４，２４…折曲部、１５，２５…突出部、１５ａ，２５ａ…脚部下面になる突出面、１５ｂ，２５ｂ…脚部外側面となる突出面。
【図１】
0005465632.tif 000002
【図２】
0005465632.tif 000003
【図３】
0005465632.tif 000004
【図４】
0005465632.tif 000005
【図５】
0005465632.tif 000006
【図６】
0005465632.tif 000007
【図７】
0005465632.tif 000008